(57)【要約】【課題】再起動を行っても通信が不安定になることを防止すること。【解決手段】光信号を中継する光伝送装置に含まれる光学デバイス制御部１９は、出力する光信号の光レベルが目的レベルになるように光学デバイスを自律的に制御する光レベル制御部１９１ａと、再起動が必要になった場合に、光レベル制御部１９１ａが光信号を制御するために光学デバイスに与えている制御量を記憶手段に記憶させる制御量退避部１９１ｂとを備え、光レベル制御部１９１ａは、再起動後に、制御量退避部１９１ｂによって記憶手段に記憶された制御量を初期値として光学デバイスの制御を開始する。【選択図】        図４
2009117970.tif 000002
【特許請求の範囲】
【請求項１】
光信号を中継する光伝送装置であって、
出力する光信号の光レベルが目的レベルになるように光学デバイスを自律的に制御する光レベル制御手段と、
再起動が必要になった場合に、前記光レベル制御手段が光信号を制御するために前記光学デバイスに与えている制御量を記憶手段に記憶させる制御量退避手段とを備え、
前記光レベル制御手段は、再起動後に、前記制御量退避手段によって前記記憶手段に記憶された制御量を初期値として前記光学デバイスの制御を開始することを特徴とする光伝送装置。
【請求項２】
光信号が安定しているか否かを判定する安定状態判定手段をさらに備え、
前記制御量退避手段は、前記安定状態判定手段によって光信号が安定していると判定されたときに、前記光レベル制御手段が光信号を制御するために前記光学デバイスに与えている制御量を記憶手段に記憶させることを特徴とする請求項１に記載の光伝送装置。
【請求項３】
前記光レベル制御手段は、所定時間を経過しても前記安定状態判定手段によって光信号が安定していると判定されない場合に、当該光信号をシャットダウン状態にすることを特徴とする請求項２に記載の光伝送装置。
【請求項４】
再起動の実行前に、光信号を増幅する光アンプ部の制御モードを、光レベルを一定にするＡＬＣモードから、ゲインを一定にするＡＧＣモードへ遷移させる光アンプ制御手段をさらに備えたことを特徴とする請求項１〜３のいずれか１つに記載の光伝送装置。
【請求項５】
ファームウェアもしくはプログラマブルデバイスを更新する更新手段をさらに備え、
前記更新手段は、前記ファームウェアもしくはプログラマブルデバイスを更新するために再起動が必要になった場合に、前記制御量退避手段に前記制御量の退避を行わせることを特徴とする請求項１〜４のいずれか１つに記載の光伝送装置。
【請求項６】
出力する光信号の光レベルが目的レベルになるように光学デバイスを自律的に制御する光レベル制御手段を備える光伝送装置の再起動を制御する再起動制御方法であって、
前記光レベル制御手段が光信号を制御するために前記光学デバイスに与えている制御量を記憶手段に記憶させる制御量退避工程と、
再起動後に、前記制御量退避工程によって前記記憶手段に記憶された制御量を初期値として、前記光レベル制御手段が前記光学デバイスの制御を開始する制御再開工程と
を含んだことを特徴とする再起動制御方法。
【請求項７】
光信号を中継する光伝送装置の再起動を制御する再起動制御プログラムであって、
出力する光信号の光レベルが目的レベルになるように光学デバイスを自律的に制御する光レベル制御手順と、
再起動が必要になった場合に、前記光レベル制御手順が光信号を制御するために前記光学デバイスに与えている制御量を記憶手段に記憶させる制御量退避手順とをコンピュータに実行させ、
前記光レベル制御手順は、再起動後に、前記制御量退避手順によって前記記憶手段に記憶された制御量を初期値として前記光学デバイスの制御を開始することを特徴とする再起動制御プログラム。
【発明の詳細な説明】
【技術分野】
【０００１】
この発明は、光伝送装置とその再起動制御方法および再起動制御プログラムに関し、特に、再起動を行っても通信が不安定になることを防止することができる光伝送装置、再起動制御方法および再起動制御プログラムに関する。
【背景技術】
【０００２】
近年、通信容量と通信距離の増大にともない、ネットワークの大容量化と長距離化が要求されている。この要求を満たすために、基幹ネットワークでは、波長分離多重（ＷＤＭ：Wavelength Division Multiplex）を用いた光ネットワークが利用されるようになっている。
【０００３】
波長分離多重を用いた光ネットワークでは、他のネットワークとの接続のために、任意経路に任意波長を挿入し、任意経路から任意波長の信号光を分岐して受信する光分岐挿入装置（ＯＡＤＭ：Optical Add and Drop Multiplexer）と呼ばれる光伝送装置が用いられる（例えば、特許文献１を参照）。
【０００４】
光分岐挿入装置は、安定した通信を実現するため、分離多重する波長毎に、光信号の光レベルが目標レベルになるように自律的に制御する機構を備えている（例えば、特許文献２を参照）。
【０００５】
【特許文献１】特開２００４−４０４３７号公報
【特許文献２】特開２００５−２０８６５０号公報
【発明の開示】
【発明が解決しようとする課題】
【０００６】
しかしながら、従来の光分岐挿入装置には、光信号の光レベルを制御する機構をファームウェアの更新等のために再起動させた場合に、通信が不安定になるという問題があった。光信号の光レベルの制御は、フィードバック制御によって実現されているが、光信号の光レベルを制御する機構を再起動させることにより、初期状態からフィードック制御が再開されることになり、光信号の光レベルが目標レベルになるまでに時間を要するためである。
【０００７】
この発明は、上述した従来技術による問題点を解消するためになされたものであり、再起動を行っても通信が不安定になることを防止することができる光伝送装置とその再起動制御方法および再起動制御プログラムを提供することを目的とする。
【課題を解決するための手段】
【０００８】
上述した課題を解決し、目的を達成するため、本願に開示する光伝送装置は、一つの態様において、光信号を中継する光伝送装置であって、出力する光信号の光レベルが目的レベルになるように光学デバイスを自律的に制御する光レベル制御手段と、再起動が必要になった場合に、前記光レベル制御手段が光信号を制御するために前記光学デバイスに与えている制御量を記憶手段に記憶させる制御量退避手段とを備え、前記光レベル制御手段は、再起動後に、前記制御量退避手段によって前記記憶手段に記憶された制御量を初期値として前記光学デバイスの制御を開始する。
【０００９】
この態様によれば、再起動後に、予め決められた一定値ではなく、再起動前に実際に使用されていた制御量を初期値として使用して光学デバイスの制御が再開されるようにしたので、再起動後に短時間で光信号を目的レベルにすることができ、通信が不安定になることを防止することができる。
【００１０】
また、本願に開示する光伝送装置は、他の態様において、光信号が安定しているか否かを判定する安定状態判定手段をさらに備え、前記制御量退避手段は、前記安定状態判定手段によって光信号が安定していると判定されたときに、前記光レベル制御手段が光信号を制御するために前記光学デバイスに与えている制御量を記憶手段に記憶させる。
【００１１】
この態様によれば、光信号が安定しているときの制御量を記憶しておき、再起動後にその制御量を初期値として使用して光学デバイスの制御が再開されるようにしたので、不適切な制御量を初期値として用いて通信を不安定にすることを防止できる。
【００１２】
なお、本願に開示する光伝送装置の構成要素、表現または構成要素の任意の組合せを、方法、装置、システム、コンピュータプログラム、記録媒体、データ構造などに適用したものも上述した課題を解決するために有効である。
【発明の効果】
【００１３】
本願の開示する光伝送装置、再起動制御方法および再起動制御プログラムの一つの態様によれば、再起動後に短時間で光信号を目的レベルにすることができ、通信が不安定になることを防止することができるという効果を奏する。
【００１４】
また、本願の開示する光伝送装置、再起動制御方法および再起動制御プログラムの一つの態様によれば、再起動後に不適切な制御量を初期値として用いて通信を不安定にすることを防止できるという効果を奏する。
【発明を実施するための最良の形態】
【００１５】
以下に添付図面を参照して、本発明に係る光伝送装置、再起動制御方法および再起動制御プログラムの好適な実施の形態を詳細に説明する。
【実施例】
【００１６】
まず、本実施例に係る光分岐挿入装置２ａ〜２ｆを含むＷＤＭ通信システムについて説明する。図１は、本実施例に係る光分岐挿入装置２ａ〜２ｆを含むＷＤＭ通信システムの構成の一例を示す図である。同図に示すＷＤＭ通信システムは、光ネットワーク１ａ〜１ｄを光分岐挿入装置２ａ〜２ｆで接続して構成されている。そして、このＷＤＭ通信システムには、光分岐挿入装置２ａ〜２ｆの保守管理を行うための保守管理端末（ＯＰＳ：Operation System）３ａおよび３ｂも接続されている。
【００１７】
光分岐挿入装置２ａ〜２ｆは、分離多重する波長毎に、光信号の光レベルが目標レベルになるように自律的に制御する制御機構を備える。そして、光分岐挿入装置２ａ〜２ｆは、保守管理端末３ａおよび３ｂの指示に従って、ファームウェアやプログラマブルデバイスの更新を行うためにこの制御機構を再起動させた場合でも、安定した通信状態を維持することができる。
【００１８】
なお、図１に示した例では、光分岐挿入装置２ａ〜２ｆは、光ネットワーク同士を接続するために使用されているが、光分岐挿入装置２ａ〜２ｆは、光ネットワークをイーサネット（登録商標）やＡＴＭ（Asynchronous Transfer Mode）ネットワーク等の他のネットワークと接続するために使用されるものであってもよい。
【００１９】
次に、光分岐挿入装置２ａ〜２ｆの構成について説明する。光分岐挿入装置２ａ〜２ｆは、いずれも同様の構成を有するので、ここでは光分岐挿入装置２ａを例にして構成の説明を行うこととする。図２は、光分岐挿入装置２ａの構成を示す図である。同図に示すように、光分岐挿入装置２ａは、光分岐挿入モジュール１０ａおよび１０ｂと、受信アンプモジュール２０ａおよび２０ｂと、送信アンプモジュール３０ａおよび３０ｂと、管理モジュール４０とを有する。
【００２０】
光分岐挿入モジュール１０ａは、図中右方向から入力される光信号にＡｄｄ  ｐｏｒｔ１１から入力される光信号を挿入して図中左方向へ出力するとともに、図中左方向から入力される光信号から特定の波長の信号を分岐させてＤｒｏｐ  ｐｏｒｔ１２から出力するモジュールである。受信アンプモジュール２０ａは、図中右方向から入力される光信号をアンプ２１で光増幅して光分岐挿入モジュール１０ａおよび１０ｂへ出力するモジュールである。送信アンプモジュール３０ａは、光分岐挿入モジュール１０ａが図中左方向へ出力する信号をアンプ３１で光増幅するモジュールである。
【００２１】
光分岐挿入モジュール１０ｂは、図中左方向から入力される光信号にＡｄｄ  ｐｏｒｔ１１から入力される光信号を挿入して図中右方向へ出力するとともに、図中右方向から入力される光信号から特定の波長の信号を分岐させてＤｒｏｐ  ｐｏｒｔ１２から出力するモジュールである。受信アンプモジュール２０ｂは、図中左方向から入力される光信号をアンプ２１で光増幅して光分岐挿入モジュール１０ａおよび１０ｂへ出力するモジュールである。送信アンプモジュール３０ｂは、光分岐挿入モジュール１０ａが図中右方向へ出力する信号をアンプ３１で光増幅するモジュールである。
【００２２】
管理モジュール４０は、自身が記憶する設定情報４１に基づいて、光分岐挿入モジュール１０ａおよび１０ｂの管理を行うモジュールである。例えば、設定情報４１には、どの波長の光信号を挿入し、どの波長の光信号を分岐させ、どの波長の光信号をスルーさせるかを示す光クロスコネクト情報が含まれており、管理モジュール４０は、この光クロスコネクト情報に基づいて光学デバイスの設定を行うように、光分岐挿入モジュール１０ａおよび１０ｂに指示する。
【００２３】
設定情報４１は、保守管理端末３ａおよび３ｂを通じてネットワーク管理者によって編集され、不揮発性のメモリ等に記憶される。したがって、ネットワーク管理者によって設定された光クロスコネクト情報等は、光分岐挿入装置２ａが再起動された場合でも失われることなく、再起動後に再起動前と同じ状態を再現するために使用される。
【００２４】
図３は、図２に示した光分岐挿入モジュール１０ａの要部の構成を示す図である。なお、同図では、説明の便宜上、光信号の分岐に関する構成の図示を省略している。また、光分岐挿入モジュール１０ｂは、光分岐挿入モジュール１０ａと同様の構成を有する。
【００２５】
図３に示すように、光分岐挿入モジュール１０ａは、Ａｄｄ  ｐｏｒｔ１１に加えて、Ｔｈｒｕ  ｐｏｒｔ１３ａと、Ｍｕｘ  ｐｏｒｔ１３ｂと、光分波器１４と、光スイッチ１５ａ〜１５ｎと、ＶＯＡ（Variable Optical Attenuator）１６ａ〜１６ｎと、ＰＤ（Photo Diode）１７ａ〜１７ｎと、光合波器１８と、光学デバイス制御部１９とを有する。
【００２６】
Ｔｈｒｕ  ｐｏｒｔ１３ａは、受信アンプモジュール２０ａが光増幅した光信号を受信するポートであり、光分波器１４は、Ｔｈｒｕ  ｐｏｒｔ１３ａにおいて受信された光信号を波長毎に分離するデバイスである。光スイッチ１５ａ〜１５ｎは、光分波器１４によって分離される波長毎に設けられており、光分波器１４によって分離された特定の波長の光信号とＡｄｄ  ｐｏｒｔ１１で受信された特定の波長の光信号のいずれか一方をＶＯＡ１６ａ〜１６ｎへ出力する。
【００２７】
ＶＯＡ１６ａ〜１６ｎは、光スイッチ１５ａ〜１５ｎに対応して１つずつ設けられており、光スイッチ１５ａ〜１５ｎから出力された光信号の光レベルが目標の光レベルになるように光信号を減衰させる。ＰＤ１７ａ〜１７ｎは、ＶＯＡ１６ａ〜１６ｎに対応して１つずつ設けられており、ＶＯＡ１６ａ〜１６ｎから出力される光信号の光レベルを計測し、その計測結果を光学デバイス制御部１９へ出力する。
【００２８】
光合波器１８は、ＶＯＡ１６ａ〜１６ｎから出力され、ＰＤ１７ａ〜１７ｎを経由した各波長の光信号を波長多重するデバイスであり、Ｍｕｘ  ｐｏｒｔ１３ｂは、光合波器１８において波長多重された光信号を送信アンプモジュール３０ａへ出力するためのポートである。
【００２９】
そして、光学デバイス制御部１９は、光スイッチ１５ａ〜１５ｎ、ＶＯＡ１６ａ〜１６ｎ、ＰＤ１７ａ〜１７ｎ等の光学デバイスを制御する制御部である。具体的には、光学デバイス制御部１９は、設定情報４１に含まれる光クロスコネクト情報に基づいて光信号の挿入が正しく行われるように光スイッチ１５ａ〜１５ｎを制御する。また、光学デバイス制御部１９は、各波長の光信号の光レベルが目的レベルになるように、ＰＤ１７ａ〜１７ｎの計測結果に基づいて、ＶＯＡ１６ａ〜１６ｎの減衰量を変動させる。
【００３０】
光学デバイス制御部１９の詳細な構成を図４に示す。同図に示すように、光学デバイス制御部１９は、ＣＰＵ（Central Processing Unit）１９１と、タイマ部１９２と、ファームウェア更新部１９３と、記憶部１９４とを有する。なお、同図では、説明の便宜上、光スイッチ１５ａ〜１５ｎの制御に関する構成の図示を省略している。
【００３１】
ＣＰＵ１９１は、各種演算処理を実行可能な演算処理装置であり、記憶部１９４に記憶されているファームウェア１９４ｂを実行することによって各種機能を実現する。例えば、ＣＰＵ１９１は、ファームウェア１９４ｂを実行することにより、光レベル制御部１９１ａと、制御量退避部１９１ｂと、安定状態判定部１９１ｃと、光アンプ制御部１９１ｄとを実現する。
【００３２】
光レベル制御部１９１ａは、各波長の光信号の光レベルが目的レベルになるように、ＰＤ１７ａ〜１７ｎの計測結果に基づいてＶＯＡ１６ａ〜１６ｎの制御量を調整する処理部である。光レベル制御部１９１ａは、光レベルを急激に変化させることによって通信障害が発生しないように、ＶＯＡ１６ａ〜１６ｎの制御量を所定の幅内で漸次的に変動させる。
【００３３】
また、光レベル制御部１９１ａは、再起動後にＶＯＡ１６ａ〜１６ｎの制御を再開する場合に、ＶＯＡ１６ａ〜１６ｎに与える制御量の初期値として、記憶部１９４に記憶されている制御量情報１９４ａから取得した情報を使用する。後述するように、制御量情報１９４ａには、再起動前のＶＯＡ１６ａ〜１６ｎの制御量が制御量退避部１９１ｂによって退避される。このため、光レベル制御部１９１ａは、再起動後、短時間でＶＯＡ１６ａ〜１６ｎの制御量を適切な大きさに設定することができ、再起動にともなう通信障害の発生を回避することができる。
【００３４】
制御量退避部１９１ｂは、再起動が行われる前に、光レベル制御部１９１ａがＶＯＡ１６ａ〜１６ｎに加えている制御量を制御量情報１９４ａとして記憶部１９４に記憶させる処理部である。なお、制御量退避部１９１ｂは、各波長の使用状況に応じて制御量情報１９４ａとして記憶させる内容を変化させる。
【００３５】
制御量退避部１９１ｂは、非運用中の波長については、運用中の他の波長へ影響を与えないように、対応するＶＯＡの減衰量を最大にしてシャットダウン状態にすべき旨を記憶させる。また、制御量退避部１９１ｂは、ＡＬＤ（Automatic Level Down）状態の波長、すなわち、運用中だが信号が入力されない波長についても、ＶＯＡの減衰量を最大にした状態から制御を開始すればよいため、シャットダウン状態にすべき旨を記憶させる。
【００３６】
また、制御量退避部１９１ｂは、運用中で信号が入力されている波長については、その波長が安定しているか否かを安定状態判定部１９１ｃに判定させる。そして、安定していると判定された波長については、対応するＶＯＡに加えられている制御量を再起動後にそのＶＯＡに加えるべき制御量として記憶させる。一方、安定していないと判定された波長については、再起動後の適切な制御量を特定することができないため、シャットダウン状態にすべき旨を記憶させる。
【００３７】
光レベル制御部１９１ａは、再起動中に通信状態が不安定になることを防止するため、制御量退避部１９１ｂによってシャットダウン状態にすべきと判定された波長に対応するＶＯＡについては、再起動の実施前から減衰量を最大にしてシャットダウン状態にさせる。
【００３８】
安定状態判定部１９１ｃは、ＰＤ１７ａ〜１７ｎから送信される光レベルの計測結果を監視して、各波長が安定しているか否かを判定する処理部である。各波長が安定しているか否かの判定は、各波長の光レベルと目標レベルの差が所定の範囲内にあるか否かを基準にして行われる。一定以上の時間を経過してもある波長の光レベルと目標レベルの差が所定の範囲内に収まらない場合、安定状態判定部１９１ｃは、その波長は安定していないと判定する。
【００３９】
光アンプ制御部１９１ｄは、再起動の実行前に、受信アンプモジュール２０ａおよび２０ｂと送信アンプモジュール３０ａおよび３０ｂとを、波長多重された光信号の光レベルを一定にするＡＬＣ（Automatic Level Control）モードから、波長多重された光信号のゲインを一定にするＡＧＣ（Automatic Gain Control）モードへ遷移させる処理部である。
【００４０】
光分岐挿入装置２ａ全体を再起動させるのではなく、光学デバイス制御部１９のみを再起動させる場合、再起動中も通信を継続させることが可能である。しかしながら、受信アンプモジュール２０ａ等をＡＬＣモードに設定しておくと、再起動中に経路の増減設が実行されて運用状態の波長数が変動した場合等に、各波長のゲイン制御が適切な波長数に基づいて行われなくなり、通信エラーが発生する可能性がある。再起動の実行前に、ＡＧＣモードへの遷移を実施することにより、この問題を解消することができる。
【００４１】
タイマ部１９２は、計時手段であり、波長が安定するのを安定状態判定部１９１ｃが待つ時間を計時するために使用される。ファームウェア更新部１９３は、更新版のファイルを他のサーバ等からダウンロードして、記憶部１９４に記憶されているファームウェア１９４ｂを更新するとともに、光学デバイス制御部１９を再起動させて更新後のファームウェア１９４ｂが実行されるようにするための処理を実行する処理部である。ファームウェア更新部１９３は、再起動後に通信が不安定になることがないように、再起動の実施前に、制御量退避部１９１ｂに指示してＶＯＡ１６ａ〜１６ｎの制御量の退避処理を実行させる。
【００４２】
記憶部１９４は、制御量情報１９４ａとファームウェア１９４ｂとを記憶する記憶部であり、再起動後にも情報が失われることがないように、不揮発性のメモリ等からなる。
【００４３】
なお、図４に示した構成では、ＶＯＡ１６ａ〜１６ｎの制御等を、ファームウェア１９４ｂを読み込んだＣＰＵ１９１によって実現することとしているが、ＣＰＵ１９１によって実現される機能の一部もしくは全部を、ＦＰＧＡ（Field Programmable Gate Array）のようなプログラマブルデバイスやＡＳＩＣ（Application Specific Integrated Circuit）のようなハードワイヤードロジックデバイスを用いて実現することとしてもよい。
【００４４】
ＣＰＵ１９１によって実現される機能をプログラマブルデバイスを用いて実現する場合、ロジックの更新を可能にするために、ファームウェア更新部１９３に相当する更新部を設け、ロジックの更新にともなう再起動時に通信が不安定になることがないように、再起動の実施前に、制御量退避部１９１ｂに指示してＶＯＡ１６ａ〜１６ｎの制御量の退避処理を実行させるように構成することが好ましい。
【００４５】
次に、図４に示した光学デバイス制御部１９の動作について、従来の一般的な光学デバイス制御部の動作と対比して説明する。
【００４６】
図７は、従来の一般的な光学デバイス制御部の動作を示すフローチャートである。同図に示すように、従来の一般的な光学デバイス制御部は、起動すると、各波長の制御量の初期値を取得する（ステップＳ２０１）。ここで、取得される初期値は、調整することを前提として予め設定された一定値である。そして、従来の一般的な光学デバイス制御部は、取得した制御量の初期値を各ＶＯＡに設定し（ステップＳ２０２）、光アンプ部をＡＬＣモードに設定する（ステップＳ２０３）。
【００４７】
そして、従来の一般的な光学デバイス制御部は、各ＰＤから光レベルを取得し（ステップＳ２０４）、取得した光レベルと目標レベルから各波長の制御量を算出し（ステップＳ２０５）、算出した制御量を各ＶＯＡへ設定する（ステップＳ２０６）という処理を繰り返すことにより、各波長の光レベルを目標レベルへ近づけていく（ステップＳ２０７否定）。
【００４８】
そして、再起動が必要になった場合には（ステップＳ２０７肯定）、従来の一般的な光学デバイス制御部は、ステップＳ２０１から動作を再開し、制御量として予め設定された一定値を各ＶＯＡに設定する。
【００４９】
この動作のステップＳ２０５においては、急激に光レベルを変動させることによる障害の発生を防止するために、変動量が所定の幅よりも大きくならないように制御量が算出される。このため、従来の一般的な光学デバイス制御部によるＶＯＡ制御では、各波長の光が目的レベルになるのに時間を要し、その間に通信エラーが発生することがあった。
【００５０】
図５は、図４に示した光学デバイス制御部１９の動作を示すフローチャートである。同図に示すように、光学デバイス制御部１９が起動すると、光レベル制御部１９１ａが制御量情報１９４ａを読み取って、起動前に制御量退避部１９１ｂが記憶させた各波長の制御量を取得する（ステップＳ１０１）。そして、光レベル制御部１９１ａは、読み取った制御量をＶＯＡ１６ａ〜１６ｎに設定する（ステップＳ１０２）。また、光アンプ制御部１９１ｄは、受信アンプモジュール２０ａおよび２０ｂと送信アンプモジュール３０ａおよび３０ｂとを、初期のモードであるＡＬＣモードに設定する（ステップＳ１０３）。
【００５１】
続いて、光レベル制御部１９１ａは、ＰＤ１７ａ〜１７ｎから光レベルを取得し（ステップＳ１０４）、取得した光レベルと目標レベルから各波長の制御量を算出し（ステップＳ１０５）、算出した制御量をＶＯＡ１６ａ〜１６ｎへ設定する（ステップＳ１０６）。そして、光レベル制御部１９１ａは、ステップＳ１０４〜Ｓ１０６の動作を繰り返し実行することにより、各波長の光レベルが目的レベルを維持するように制御量を補正するとともに、新たに通信が開始された波長があれば、その波長の光レベルを目的レベルに近づけていく（ステップＳ１０７否定）。
【００５２】
そして、再起動が必要になった場合には（ステップＳ１０７肯定）、通信状態の安定化を図るため、光アンプ制御部１９１ｄは、受信アンプモジュール２０ａおよび２０ｂと送信アンプモジュール３０ａおよび３０ｂとを、ＡＧＣモードに設定する（ステップＳ１０８）。そして、光レベル制御部１９１ａが、未使用の波長に対応するＶＯＡをシャットダウン状態にし、制御量退避部１９１ｂが、それらの波長の制御量を制御量情報１９４ａとして記憶させる（ステップＳ１０９）。
【００５３】
続いて、安定状態判定部１９１ｃが、タイマ部１９２を使用して計時を開始し（ステップＳ１１０）、運用中の全ての波長が安定していると判定されるまで、それらの波長の安定度を確認する（ステップＳ１１１）。そして、安定状態判定部１９１ｃによって、運用中の全ての波長が安定していると判定された場合は（ステップＳ１１２肯定）、制御量退避部１９１ｂが、安定状態にある波長の制御量を制御量情報１９４ａとして記憶させる（ステップＳ１１５）。その後、光学デバイス制御部１９は、ステップＳ１０１から動作を再開し、制御量退避部１９１ｂによって退避された制御量を初期値として用いてＶＯＡ１６ａ〜１６ｎの制御を行う。
【００５４】
一方、安定状態判定部１９１ｃによって、運用中の全ての波長が安定していると判定されることなく一定以上の時間が経過した場合は（ステップＳ１１３肯定）、光レベル制御部１９１ａが、安定状態にない波長に対応するＶＯＡをシャットダウン状態にし、制御量退避部１９１ｂが、それらの波長の制御量を制御量情報１９４ａとして記憶させる（ステップＳ１１４）。そして、制御量退避部１９１ｂが、安定状態にある波長の制御量を制御量情報１９４ａとして記憶させる（ステップＳ１１５）。その後、光学デバイス制御部１９は、ステップＳ１０１から動作を再開し、制御量退避部１９１ｂによって退避された制御量を初期値として用いてＶＯＡ１６ａ〜１６ｎの制御を行う。
【００５５】
上述してきたように、本実施例では、再起動が必要になった場合に、光レベル制御部１９１ａがＶＯＡ１６ａ〜１６ｎに与えている制御量を制御量退避部１９１ｂが制御量情報１９４ａとして記憶させ、再起動後に、光レベル制御部１９１ａが制御量情報１９４ａとして記憶された制御量を初期値として使用してＶＯＡ１６ａ〜１６ｎの制御を再開するようにしたので、再起動後に短時間で光信号を目的レベルにすることができ、通信が不安定になることを防止することができる。
【００５６】
なお、上記の実施例では、本発明について光分岐挿入装置を例にして説明したが、本発明は、光分岐挿入装置以外の光伝送装置においても有効である。また、上記の実施例では、一定以上の時間を経過しても安定状態判定部１９１ｃによって安定していると判定されなかった波長をシャットダウン状態にすることとしているが、このような場合に、波長をシャットダウン状態にするのではなく、再起動を中止して、保守管理端末３ａおよび３ｂを通じて波長が安定していない旨をネットワーク管理者に通知することとしてもよい。
【００５７】
また、上記の実施例では、ＶＯＡの減衰量を最大にすることによって特定の波長の光信号をシャットダウン状態にすることとしているが、ＶＯＡの減衰量を最大にしても光信号を完全に遮断できない場合がある。そこで、図６に示す光分岐挿入モジュール１０ａ’のように、光スイッチ１５ａ〜１５ｎとＶＯＡ１６ａ〜１６ｎの間に光スイッチ１５ａ’〜１５ｎ’を設け、光スイッチ１５ａ’〜１５ｎ’を切り替えることにより特定の波長の光信号をシャットダウン状態にすることとしてもよい。
【００５８】
以上の各実施例を含む実施形態に関し、さらに以下の付記を開示する。
【００５９】
（付記１）光信号を中継する光伝送装置であって、
出力する光信号の光レベルが目的レベルになるように光学デバイスを自律的に制御する光レベル制御手段と、
再起動が必要になった場合に、前記光レベル制御手段が光信号を制御するために前記光学デバイスに与えている制御量を記憶手段に記憶させる制御量退避手段とを備え、
前記光レベル制御手段は、再起動後に、前記制御量退避手段によって前記記憶手段に記憶された制御量を初期値として前記光学デバイスの制御を開始することを特徴とする光伝送装置。
【００６０】
（付記２）光信号が安定しているか否かを判定する安定状態判定手段をさらに備え、
前記制御量退避手段は、前記安定状態判定手段によって光信号が安定していると判定されたときに、前記光レベル制御手段が光信号を制御するために前記光学デバイスに与えている制御量を記憶手段に記憶させることを特徴とする付記１に記載の光伝送装置。
【００６１】
（付記３）前記光レベル制御手段は、所定時間を経過しても前記安定状態判定手段によって光信号が安定していると判定されない場合に、当該光信号をシャットダウン状態にすることを特徴とする付記２に記載の光伝送装置。
【００６２】
（付記４）再起動の実行前に、光信号を増幅する光アンプ部の制御モードを、光レベルを一定にするＡＬＣモードから、ゲインを一定にするＡＧＣモードへ遷移させる光アンプ制御手段をさらに備えたことを特徴とする付記１〜３のいずれか１つに記載の光伝送装置。
【００６３】
（付記５）ファームウェアもしくはプログラマブルデバイスを更新する更新手段をさらに備え、
前記更新手段は、前記ファームウェアもしくはプログラマブルデバイスを更新するために再起動が必要になった場合に、前記制御量退避手段に前記制御量の退避を行わせることを特徴とする付記１〜４のいずれか１つに記載の光伝送装置。
【００６４】
（付記６）出力する光信号の光レベルが目的レベルになるように光学デバイスを自律的に制御する光レベル制御手段を備える光伝送装置の再起動を制御する再起動制御方法であって、
前記光レベル制御手段が光信号を制御するために前記光学デバイスに与えている制御量を記憶手段に記憶させる制御量退避工程と、
再起動後に、前記制御量退避工程によって前記記憶手段に記憶された制御量を初期値として、前記光レベル制御手段が前記光学デバイスの制御を開始する制御再開工程と
を含んだことを特徴とする再起動制御方法。
【００６５】
（付記７）光信号が安定しているか否かを判定する安定状態判定工程をさらに含み、
前記制御量退避工程は、前記安定状態判定工程によって光信号が安定していると判定された場合に、前記光レベル制御手段が光信号を制御するために前記光学デバイスに与えている制御量を記憶手段に記憶させることを特徴とする付記６に記載の再起動制御方法。
【００６６】
（付記８）前記光レベル制御工程が、所定時間を経過しても前記安定状態判定工程によって光信号が安定していると判定されない場合に、当該光信号をシャットダウン状態にするシャットダウン工程をさらに含んだことを特徴とする付記７に記載の再起動制御方法。
【００６７】
（付記９）再起動の実行前に、光信号を増幅する光アンプ部の制御モードを、光レベルを一定にするＡＬＣモードから、ゲインを一定にするＡＧＣモードへ遷移させる光アンプ制御工程をさらに備えたことを特徴とする付記６〜８のいずれか１つに記載の再起動制御方法。
【００６８】
（付記１０）光信号を中継する光伝送装置の再起動を制御する再起動制御プログラムであって、
出力する光信号の光レベルが目的レベルになるように光学デバイスを自律的に制御する光レベル制御手順と、
再起動が必要になった場合に、前記光レベル制御手順が光信号を制御するために前記光学デバイスに与えている制御量を記憶手段に記憶させる制御量退避手順とをコンピュータに実行させ、
前記光レベル制御手順は、再起動後に、前記制御量退避手順によって前記記憶手段に記憶された制御量を初期値として前記光学デバイスの制御を開始することを特徴とする再起動制御プログラム。
【００６９】
（付記１１）光信号が安定しているか否かを判定する安定状態判定手順をさらにコンピュータに実行させ、
前記制御量退避手順は、前記安定状態判定手順によって光信号が安定していると判定されたときに、前記光レベル制御手順が光信号を制御するために前記光学デバイスに与えている制御量を記憶手段に記憶させることを特徴とする付記１０に記載の再起動制御プログラム。
【００７０】
（付記１２）前記光レベル制御手順は、所定時間を経過しても前記安定状態判定手順によって光信号が安定していると判定されない場合に、当該光信号をシャットダウン状態にすることを特徴とする付記１１に記載の再起動制御プログラム。
【００７１】
（付記１３）再起動の実行前に、光信号を増幅する光アンプ部の制御モードを、光レベルを一定にするＡＬＣモードから、ゲインを一定にするＡＧＣモードへ遷移させる光アンプ制御手順をさらにコンピュータに実行させることを特徴とする付記１０〜１２のいずれか１つに記載の再起動制御プログラム。
【図面の簡単な説明】
【００７２】
【図１】ＷＤＭ通信システムの構成の一例を示す図である。
【図２】光分岐挿入装置の構成を示す図である。
【図３】光分岐挿入モジュールの要部の構成を示す図である。
【図４】光学デバイス制御部の構成を示す機能ブロック図である。
【図５】図４に示した光学デバイス制御部の動作を示すフローチャートである。
【図６】光分岐挿入モジュールの変形例を示す図である。
【図７】従来の一般的な光学デバイス制御部の動作を示すフローチャートである。
【符号の説明】
【００７３】
１ａ〜１ｄ  光ネットワーク
２ａ〜２ｆ  光分岐挿入装置
３ａ、３ｂ  保守管理端末
１０ａ、１０ａ’、１０ｂ  光分岐挿入モジュール
１１    Ａｄｄ  ｐｏｒｔ
１２    Ｄｒｏｐ  ｐｏｒｔ
１３ａ  Ｔｈｒｕ  ｐｏｒｔ
１３ｂ  Ｍｕｘ  ｐｏｒｔ
１４    光分波器
１５ａ〜１５ｎ、１５ａ’〜１５ｎ ’  光スイッチ
１６ａ〜１６ｎ  ＶＯＡ
１７ａ〜１７ｎ  ＰＤ
１８    光合波器
１９    光学デバイス制御部
１９１    ＣＰＵ
１９１ａ  光レベル制御部
１９１ｂ  制御量退避部
１９１ｃ  安定状態判定部
１９１ｄ  光アンプ制御部
１９２    タイマ部
１９３    ファームウェア更新部
１９４    記憶部
１９４ａ  制御量情報
１９４ｂ  ファームウェア
２０ａ、２０ｂ  受信アンプモジュール
２１  アンプ
３０ａ、３０ｂ  送信アンプモジュール
３１    アンプ
４０    管理モジュール
４１    設定情報
【図１】
2009117970.tif 000003
【図２】
2009117970.tif 000004
【図３】
2009117970.tif 000005
【図４】
2009117970.tif 000006
【図５】
2009117970.tif 000007
【図６】
2009117970.tif 000008
【図７】
2009117970.tif 000009